(57)【要約】【課題】  劣化しにくいソーラーパネルを含む電気設備保持装置などを提供する。【解決手段】  電気設備保持装置１は、ソーラーパネル７３と、ソーラーパネル７３で得られた電力を貯める蓄電装置７５と、ソーラーパネル７３と蓄電装置７５の少なくとも一方の負荷試験を行うために使用される負荷試験装置１０の少なくとも一方と、底面にキャスター３５ａが設けられ、蓄電装置７５と負荷試験装置１０の少なくとも一方を保持する移動ラック３０とを備える。ソーラーパネル７３は、少なくとも回転を含む移動により、ソーラーパネル７３の受光面が移動ラック３０の側部の一つと平行になる第１状態と、移動ラック３０の上面に配置された第２状態とが切り替え可能である。【選択図】図８
2020073864.tif 000002
【特許請求の範囲】
【請求項１】
ソーラーパネルと、
前記ソーラーパネルで得られた電力を貯める蓄電装置と、前記ソーラーパネルと前記蓄電装置の少なくとも一方の負荷試験を行うために使用される負荷試験装置の少なくとも一方と、
底面にキャスターが設けられ、前記蓄電装置と前記負荷試験装置の少なくとも一方を保持する移動ラックとを備え、
前記ソーラーパネルは、少なくとも回転を含む移動により、前記ソーラーパネルの受光面が前記移動ラックの側部の一つと平行になる第１状態と、前記移動ラックの上面に配置された第２状態とが切り替え可能であることを特徴とする電気設備保持装置。
【請求項２】
前記移動ラックは、前記蓄電装置と前記負荷試験装置の少なくとも一方を収納する第１領域と、前記第１領域の上段に設けられた第２領域とを有し、
前記第１領域と前記第２領域の境界には、上下方向と垂直な方向に延びる軸と、前記軸の周りを回転可能な状態で覆う筒状物を含むローラーが複数設けられ、
前記第２領域に収納される物は、前記ローラーに保持されることを特徴とする請求項１に記載の電気設備保持装置。
【請求項３】
前記電気設備保持装置は、少なくとも前記負荷試験装置を備えるものであり、
前記負荷試験装置は、上方に排気を行うものであり、
前記移動ラックと前記負荷試験装置の少なくとも一方は、前記ローラーが物を保持しているか否かを検知する保持検知部を有し、
前記負荷試験装置は、前記保持検知部による検知結果に基づいて、前記負荷試験装置の抵抗部への電力供給を遮断することを特徴とする請求項２に記載の電気設備保持装置。
【請求項４】
前記電気設備保持装置は、少なくとも前記負荷試験装置を備えるものであり、
前記負荷試験装置は、上方に排気を行うものであり、
前記ローラーは、前記側部を構成するフレームに比べて、耐熱性が高く、熱伝導率が低い部材で構成されることを特徴とする請求項２に記載の電気設備保持装置。
【請求項５】
前記第２領域に収納される物には、少なくとも前記負荷試験装置に接続される電源接続ケーブルが含まれることを特徴とする請求項２に記載の電気設備保持装置。
【請求項６】
前記電気設備保持装置は、前記蓄電装置と前記負荷試験装置を備えるものであり、
前記移動ラックは、前記負荷試験装置を収納する第１領域と、前記第１領域の上段に設けられた第２領域と、前記第１領域の下段に設けられた第３領域を有し、
前記第３領域には、移動式の発電機が収納され、
前記第１領域と前記第３領域の少なくとも一方には、前記蓄電装置が収納され、
前記負荷試験装置は、前記発電機の負荷試験を行うために使用されることを特徴とする請求項１に記載の電気設備保持装置。
【請求項７】
前記電気設備保持装置は、少なくとも前記負荷試験装置を備えるものであり、
前記負荷試験装置は、上方に排気を行うものであり、
前記上面には、蓋が設けられ、
前記第２状態の時には、前記蓋の上に前記ソーラーパネルが配置され、
前記蓋は、前記側部を構成するフレームに比べて、耐熱性が高く、熱伝導率が低い部材で構成されることを特徴とする請求項１に記載の電気設備保持装置。
【請求項８】
前記電気設備保持装置は、少なくとも前記負荷試験装置を備えるものであり、
前記負荷試験装置は、上方に排気を行うものであり、
前記上面には、開閉可能な蓋が設けられ、
前記第２状態の時には、前記蓋の上に前記ソーラーパネルが配置され、
前記負荷試験装置は、操作部を有し、
前記側部には、格子状の柵が設けられ、
前記操作部は、前記負荷試験装置における、前記側部であって前記蓋が開いた時に少なくとも一部が前記蓋に覆われるものと近い側に設けられ、
前記側部であって、前記操作部と対向する領域における前記柵を構成する格子は、２ｃｍ以上の間隔を有することを特徴とする請求項１に記載の電気設備保持装置。
【請求項９】
前記電気設備保持装置は、少なくとも前記負荷試験装置を備えるものであり、
前記負荷試験装置は、上方に排気を行うものであり、
前記上面には、開閉可能な蓋が設けられ、
前記第２状態の時には、前記蓋の上に前記ソーラーパネルが配置され、
前記移動ラックと前記負荷試験装置の少なくとも一方は、前記ソーラーパネルの位置を検知する開閉検知部を有し、
前記負荷試験装置は、前記開閉検知部による検知結果に基づいて、前記負荷試験装置の抵抗部への電力供給を遮断することを特徴とする請求項１に記載の電気設備保持装置。
【請求項１０】
前記底面には、フォークリフトのフォームを差し込むための差込口が設けられることを特徴とする請求項１に記載の電気設備保持装置。
【請求項１１】
底面にキャスターが設けられ、ソーラーパネルで得られた電力を貯める蓄電装置と前記ソーラーパネルの少なくとも一方の負荷試験を行うために使用される負荷試験装置の少なくとも一方を保持する移動ラックであって、
前記ソーラーパネルは、少なくとも回転を含む移動により、前記ソーラーパネルの受光面が前記移動ラックの側部の一つと平行になる第１状態と、前記移動ラックの上面に配置された第２状態とが切り替え可能であることを特徴とする電気設備保持装置の移動ラック。
【発明の詳細な説明】
【技術分野】
【０００１】
本発明は、電気設備保持装置などに関する。
【背景技術】
【０００２】
従来、特許文献１のように、ソーラーパネルを含む移動装置が提案されている。
【先行技術文献】
【特許文献】
【０００３】
【特許文献１】特開２０１２−１８４８８７号公報
【発明の概要】
【発明が解決しようとする課題】
【０００４】
しかしながら、不使用時にソーラーパネルの受光面が風雨にさらされて劣化するおそれがある。
【０００５】
したがって本発明の目的は、劣化しにくいソーラーパネルを含む電気設備保持装置などを提供することである。
【課題を解決するための手段】
【０００６】
本発明に係る電気設備保持装置は、ソーラーパネルと、ソーラーパネルで得られた電力を貯める蓄電装置と、ソーラーパネルと蓄電装置の少なくとも一方の負荷試験を行うために使用される負荷試験装置の少なくとも一方と、底面にキャスターが設けられ、蓄電装置と負荷試験装置の少なくとも一方を保持する移動ラックとを備え、ソーラーパネルは、少なくとも回転を含む移動により、ソーラーパネルの受光面が移動ラックの側部の一つと平行になる第１状態と、移動ラックの上面に配置された第２状態とが切り替え可能である。
【０００７】
不使用時（第１状態）に、ソーラーパネルの受光面が風雨にさらされて劣化するのを防止することが可能になる。
また、不使用時（第１状態）に、移動ラックの上面からソーラーパネルが無くなるため、移動ラックの上面にソーラーパネルが配置された状態と比べて、移動ラックの高さを低くして、トラックなどの運搬手段に搭載しやすく出来る。
【０００８】
好ましくは、移動ラックは、蓄電装置と負荷試験装置の少なくとも一方を収納する第１領域と、第１領域の上段に設けられた第２領域とを有し、第１領域と第２領域の境界には、上下方向と垂直な方向に延びる軸と、軸の周りを回転可能な状態で覆う筒状物を含むローラーが複数設けられ、第２領域に収納される物は、ローラーに保持される。
【０００９】
負荷試験装置が第１領域に収納され、第１領域の上段に設けられた第２領域に電源接続ケーブルなど負荷試験装置の関連部材が収納されるので、移動ラックを用いることで、これらを容易に移動させることが可能になる。
ローラーの筒状物が水平方向に延びる軸周りに回転可能な状態で保持されるため、電源接続ケーブルなどを保持する部材として、回転可能な部材が設けられない形態に比べて、ローラーの上に保持された物を取り出しやすく出来る。
【００１０】
さらに好ましくは、電気設備保持装置は、少なくとも負荷試験装置を備えるものであり、負荷試験装置は、上方に排気を行うものであり、移動ラックと負荷試験装置の少なくとも一方は、ローラーが物を保持しているか否かを検知する保持検知部を有し、負荷試験装置は、保持検知部による検知結果に基づいて、負荷試験装置の抵抗部への電力供給を遮断する。
【００１１】
ローラーの上に保持された物が、抵抗部からの排気熱により損傷するのを防止出来る。
【００１２】
また、好ましくは、電気設備保持装置は、少なくとも負荷試験装置を備えるものであり、負荷試験装置は、上方に排気を行うものであり、ローラーは、側部を構成するフレームに比べて、耐熱性が高く、熱伝導率が低い部材で構成される。
【００１３】
これにより、負荷試験装置を移動ラックから下ろさない状態で、ローラーを損傷させずに、負荷試験を行うことが可能になる。
【００１４】
また、好ましくは、第２領域に収納される物には、少なくとも負荷試験装置に接続される電源接続ケーブルが含まれる。
【００１５】
また、好ましくは、電気設備保持装置は、蓄電装置と負荷試験装置を備えるものであり、移動ラックは、負荷試験装置を収納する第１領域と、第１領域の上段に設けられた第２領域と、第１領域の下段に設けられた第３領域を有し、第３領域には、移動式の発電機が収納され、第１領域と第３領域の少なくとも一方には、蓄電装置が収納され、負荷試験装置は、発電機の負荷試験を行うために使用される。
【００１６】
また、好ましくは、電気設備保持装置は、少なくとも負荷試験装置を備えるものであり、負荷試験装置は、上方に排気を行うものであり、上面には、蓋が設けられ、第２状態の時には、蓋の上にソーラーパネルが配置され、蓋は、側部を構成するフレームに比べて、耐熱性が高く、熱伝導率が低い部材で構成される。
【００１７】
雨天時でも屋外で、負荷試験装置の抵抗器が濡れにくい状態で、負荷試験を行うことが可能になる。
【００１８】
また、好ましくは、電気設備保持装置は、少なくとも負荷試験装置を備えるものであり、負荷試験装置は、上方に排気を行うものであり、上面には、開閉可能な蓋が設けられ、第２状態の時には、蓋の上にソーラーパネルが配置され、負荷試験装置は、操作部を有し、側部には、格子状の柵が設けられ、操作部は、負荷試験装置における、側部であって蓋が開いた時に少なくとも一部が蓋に覆われるものと近い側に設けられ、側部であって、操作部と対向する領域における柵を構成する格子は、２ｃｍ以上の間隔を有する。
【００１９】
使用者が操作部を操作する際に、近くの側面から熱風が排出されるのを防止出来る。
また、負荷試験装置を移動ラックから下ろさない状態で、負荷試験の操作を容易に行うことが可能になる。
【００２０】
また、好ましくは、電気設備保持装置は、少なくとも負荷試験装置を備えるものであり、負荷試験装置は、上方に排気を行うものであり、上面には、開閉可能な蓋が設けられ、第２状態の時には、蓋の上にソーラーパネルが配置され、移動ラックと負荷試験装置の少なくとも一方は、ソーラーパネルの位置を検知する開閉検知部を有し、負荷試験装置は、開閉検知部による検知結果に基づいて、負荷試験装置の抵抗部への電力供給を遮断する。
【００２１】
ソーラーパネルが、抵抗部からの排気熱により損傷するのを防止出来る。
【００２２】
また、好ましくは、底面には、フォークリフトのフォームを差し込むための差込口が設けられる。
【００２３】
本発明に係る電気設備保持装置の移動ラックは、底面にキャスターが設けられ、ソーラーパネルで得られた電力を貯める蓄電装置とソーラーパネルの少なくとも一方の負荷試験を行うために使用される負荷試験装置の少なくとも一方を保持する移動ラックであって、ソーラーパネルは、少なくとも回転を含む移動により、ソーラーパネルの受光面が移動ラックの側部の一つと平行になる第１状態と、移動ラックの上面に配置された第２状態とが切り替え可能である。
【００２４】
以上のように本発明によれば、劣化しにくいソーラーパネルを含む電気設備保持装置などを提供することができる。
【図面の簡単な説明】
【００２５】
【図１】第１実施形態における電気設備保持装置であって、負荷試験装置が移動ラックに搭載される前の斜視図である。
【図２】電気設備保持装置の電気的部材の構成を示す模式図である。
【図３】負荷試験装置が移動ラックに搭載され、正面扉と蓋が開いた状態を示す斜視図である。
【図４】負荷試験装置が移動ラックに搭載され、正面扉が閉じ、蓋が全開した状態を示す斜視図である。
【図５】負荷試験装置と工具箱が移動ラックに搭載され、正面扉と蓋が閉じた状態を示す斜視図である。
【図６】第２実施形態における電気設備保持装置であって、負荷試験装置と蓄電装置が移動ラックに収納され、発電機が移動ラックに収納される状態の側面図である。
【図７】第３実施形態における電気設備保持装置であって、第１状態の側面図である。
【図８】第３実施形態における電気設備保持装置であって、中間状態の側面図である。
【図９】第３実施形態における電気設備保持装置であって、第２状態の側面図である。
【図１０】第４実施形態における電気設備保持装置であって、第１状態の側面図である。
【図１１】第４実施形態における電気設備保持装置であって、中間状態の側面図である。
【図１２】第４実施形態における電気設備保持装置であって、第２状態の側面図である。
【発明を実施するための形態】
【００２６】
以下、第１実施形態について、図を用いて説明する。第１実施形態における電気設備保持装置１は、乾式の負荷試験装置１０、移動ラック（カゴ台車）３０、電源接続ケーブル５０、工具箱６０を備える（図１〜図５）。
【００２７】
方向を説明するために、移動ラック３０の第１側面３１と第２側面３２が並べられる方向をｘ方向、ｘ方向と垂直で、移動ラック３０の背面３３と正面３４が並べられる方向をｙ方向、ｘ方向とｙ方向に垂直な方向をｚ方向として説明する。
【００２８】
負荷試験装置１０は、抵抗部１１、冷却部１３、操作部１５、接続切替部１７を有し、コンピューターサーバーを冷却する空調設備の負荷試験（第１負荷試験）や、試験対象電源の負荷試験（第２負荷試験）に用いられる。
【００２９】
抵抗部１１は、ｙ方向に平行な棒状の抵抗器がｙ方向に所定の間隔を空けて複数本並べられた抵抗器列が、ｚ方向に複数段並べられたもので、負荷試験を行うために用いられる。
コンピューターサーバーを冷却する空調設備の負荷試験（第１負荷試験）では、第１端子接続部１７ａは、当該コンピューターサーバーに電力供給するものと同じ商用電源と接続され、抵抗器は当該商用電源からの電力供給を受ける。
発電機やバッテリーの負荷試験（第２負荷試験）では、第１端子接続部１７ａは、試験対象電源と接続され、抵抗器は当該試験対象電源からの電力供給を受ける。
試験対象電源は、後述する第２実施形態で示すような発電機７１、ソーラーパネル７３、蓄電装置７５などが考えられる。
【００３０】
抵抗部１１を構成する抵抗器において、近接する複数の抵抗器が直列又は並列に接続されたものを、１つの抵抗器群とし、商用電源若しくは試験対象電源からの電圧印加を行う抵抗器群の数を変えながら、負荷試験が行われる。
【００３１】
抵抗部１１は、第１抵抗器群Ｇ１〜第８抵抗器群Ｇ８を有する。
ただし、抵抗器群Ｇの数は上述の構成に限るものではない。
【００３２】
抵抗器の端子は、他の抵抗器の端子と短絡バーで接続されたり、ケーブルを介して第１端子接続部１７ａやリレー部１７ｃに接続されたりする。
ただし、当該短絡バーや当該ケーブルの図示は省略している。
抵抗部１１の筐体は、略直方体形状を有し、上面と下面が開口し、正面と背面の壁が抵抗器を保持する。
【００３３】
冷却部１３は、抵抗部１１の下部に配置され、外部から取り入れた空気を使って、抵抗部１１の抵抗器を冷却する冷却ファンを有する。
当該冷却ファンは、商用電源（負荷試験装置駆動用電源）で駆動される（図２参照）。
冷却部１３の筐体は、４つの側面と上面が開口し、当該４つの側面から吸気が行われ、当該上面を介して、抵抗部１１の抵抗器へ冷却風が供給される。
冷却風は、抵抗器を冷却した後、負荷試験装置１０の上方に排出される。すなわち、負荷試験装置１０は、上方に排気を行うものである。
抵抗部１１の筐体と、冷却部１３の筐体は一体的に構成されてもよいし、別体で構成されてもよい。
【００３４】
操作部１５は、電源スイッチ、冷却ファンスイッチ、抵抗切替スイッチ、表示部を有する。
【００３５】
電源スイッチは、スライド式（若しくはトグル式若しくは押しボタン式）の操作スイッチで、負荷試験装置１０のオンオフを選択するために使用される。
電源スイッチがオン状態にされると、第１端子接続部１７ａの遮断器若しくは不図示のリレーがオン状態にされて、リレー部１７ｃの検知部リレーＲＳと第１リレーＲ１〜第８リレーＲ８に、第１端子接続部１７ａを介して負荷試験装置１０に接続された商用電源（第１負荷試験）若しくは試験対象電源（第２負荷試験）からの電流が流れうる状態にされる。
また、電源スイッチがオン状態にされると、第２端子接続部１７ｂの遮断器若しくは不図示のリレーがオン状態にされて、リレー部１７ｃの冷却ファンリレーＲＣや操作部１５に、第２端子接続部１７ｂを介して負荷試験装置１０に接続された商用電源からの電流が流れうる状態にされる。
【００３６】
冷却ファンスイッチは、スライド式（若しくはトグル式若しくは押しボタン式）の操作スイッチで、冷却部１３の冷却ファンのオンオフを選択する（モード切替する）ために使用される。
冷却ファンスイッチがオン状態にされると、冷却ファンリレーＲＣがオン状態にされて、冷却部１３の冷却ファンに、第２端子接続部１７ｂを介して負荷試験装置１０に接続された商用電源からの電流が流れうる状態にされる。
【００３７】
抵抗切替スイッチ（第１抵抗切替スイッチ〜第８抵抗切替スイッチ）は、スライド式（若しくはトグル式若しくは押しボタン式）の操作スイッチで、第１抵抗器群Ｇ１〜第８抵抗器群Ｇ８それぞれのリレー（第１リレーＲ１〜第８リレーＲ８）のオンオフ制御を行うためのスイッチである。
第１抵抗切替スイッチがオン状態にされると、第１抵抗器群Ｇ１のリレー（第１リレーＲ１）がオン状態にされて、第１抵抗器群Ｇ１に、第１端子接続部１７ａを介して負荷試験装置１０に接続された商用電源（第１負荷試験）若しくは試験対象電源（第２負荷試験）からの電流が流れうる状態にされる。
第２抵抗切替スイッチ〜第８抵抗切替スイッチも、同様で、オン状態にされると、対応する抵抗器群のリレーがオン状態にされて、当該抵抗器群に、第１端子接続部１７ａを介して負荷試験装置１０に接続された商用電源（第１負荷試験）若しくは試験対象電源（第２負荷試験）からの電流が流れうる状態にされる。
【００３８】
表示部は、負荷試験装置１０の動作状態を示す表示装置で、正常動作中に点灯する第１点灯部、警告時に点灯する第２点灯部、異常による運転停止時に点灯する第３点灯部を有する。
表示部は、さらに、第１抵抗器群Ｇ１〜第８抵抗器群Ｇ８に流れる電流、第１抵抗器群Ｇ１〜第８抵抗器群Ｇ８に印加された電圧、電力値、負荷量、試験時間などの数値や、正常に動作しているか否かなどの運転状態などを表示する形態であってもよい。
【００３９】
操作部１５は、冷却部１３の筐体の側部の一つに取り付けられる。
特に、操作部１５は、負荷試験装置１０の冷却部１３における、移動ラック３０の側部（第１側面３１、第２側面３２、背面３３、正面３４）のうち、蓋３６ａが開いた時に、蓋３６ａに少なくとも一部が覆われるものと近い側（対向するもの）に設けられるのが望ましい。
これにより、使用者が操作部１５を操作する際に、近くの側面から熱風が排出されるのを防止出来る。
第１実施形態では、蓋３６ａが開いた時に、蓋３６ａが第１側面３１の一部を覆い、操作部１５は、移動ラック３０の第１側面３１に近い側の側面に取り付けられる。
【００４０】
接続切替部１７は、第１端子接続部１７ａ、第２端子接続部１７ｂ、リレー部１７ｃを有する（図２参照）。
【００４１】
第１端子接続部１７ａは、商用電源（第１負荷試験）若しくは試験対象電源（第２負荷試験）と、電源接続ケーブル５０を介して、接続するための端子で、電源接続ケーブル５０と第１端子接続部１７ａを介して、商用電源若しくは試験対象電源と、抵抗部１１を構成する抵抗器群（第１抵抗器群Ｇ１〜第８抵抗器群Ｇ８）とが接続可能な状態にされる。
【００４２】
第１端子接続部１７ａとリレー部１７ｃとの間、若しくは第１端子接続部１７ａには、ＶＣＢ（Vacuum Circuit Breaker）などの遮断器が設けられるのが望ましい。
【００４３】
第２端子接続部１７ｂは、商用電源とケーブル接続するための端子で、第２端子接続部１７ｂを介して、商用電源と、冷却部１３の冷却ファンやリレー部１７ｃのリレーや操作部１５とが接続可能な状態にされる。
ただし、第２負荷試験においては、第２端子接続部１７ｂも試験対象電源と接続され、試験対象電源から供給される電力で、冷却部１３の冷却ファンやリレー部１７ｃのリレーや操作部１５が駆動される形態であってもよい。
【００４４】
第２端子接続部１７ｂとリレー部１７ｃとの間、若しくは第２端子接続部１７ｂには、ＭＣＣＢ（Molded Case Circuit Breaker）などの遮断器が設けられるのが望ましい。
【００４５】
リレー部１７ｃは、操作部１５のスイッチの操作に対応して、冷却部１３への電力供給のオンオフ制御を行うリレー（冷却ファンリレーＲＣ）と、抵抗部１１を構成する抵抗器群（第１抵抗器群Ｇ１〜第８抵抗器群Ｇ８）それぞれへの電力供給のオンオフ制御を行うリレー（第１リレーＲ１〜第８リレーＲ８）と、検知部４５からの情報に基づいて、総ての抵抗器群（第１抵抗器群Ｇ１〜第８抵抗器群Ｇ８）への電力供給のオンオフ制御を行うリレー（検知部リレーＲＳ）を有する。
リレー部１７ｃを構成するリレー（冷却ファンリレーＲＣ、検知部リレーＲＳ、第１リレーＲ１〜第８リレーＲ８）は、商用電源（負荷試験装置駆動用電源）で駆動される。
【００４６】
移動ラック３０は、略直方体形状を有し、負荷試験装置１０、電源接続ケーブル５０、及び工具箱６０を収納する。
【００４７】
移動ラック３０の略直方体形状の側部を形成する第１側面３１と第２側面３２と背面３３には、格子状の柵が設けられる。
第１側面３１における少なくとも操作部１５とｘ方向で対向する領域における、柵を構成する格子は、使用者が当該格子を介して、操作部１５の電源スイッチなどを操作できる程度の間隔（２ｃｍ以上）を有する。
これにより、負荷試験装置１０を移動ラック３０から下ろさない状態で、負荷試験の操作を容易に行うことが可能になる。
【００４８】
移動ラック３０の略直方体形状の側部を形成する正面３４は開口し、格子状の柵で構成された開閉扉（正面扉３４ａ）が設けられる。
負荷試験装置１０や電源接続ケーブル５０や工具箱６０を移動ラック３０から出し入れする際に、正面扉３４ａは開いた状態（図１、図３参照）にされ、それ以外の時は、正面扉３４ａは閉じた状態（図４、図５参照）にされる。
【００４９】
移動ラック３０の略直方体形状を形成する底面３５には、負荷試験装置１０を保持するための底板が設けられ、負荷試験装置１０が載置される。
底面３５の下には、キャスター３５ａが設けられる。
また、底面３５には、フォークリフトのフォークを差し込むための差し込み口３５ｂが設けられる。
【００５０】
移動ラック３０の略直方体形状を形成する上面３６は開口し、板状の開閉蓋（蓋３６ａ）が設けられる。
負荷試験を行う際には、蓋３６ａは開いた状態（図４参照）にされ、それ以外の時は、蓋３６ａは閉じた状態（図５参照）にされる。
【００５１】
移動ラック３０における上面３６よりも下部で、且つ負荷試験装置１０が載置された領域よりも上部には、開口面がｚ方向に垂直な枠（中間枠３７）が設けられ、中間枠３７の内側には、ｘ方向に延び中間枠３７に保持されるローラー３７ａが設けられる。
【００５２】
ローラー３７ａは、ｘ方向に平行な軸と、当該軸周りに回転可能な状態で設けられた筒状物を有する。
また、移動ラック３０における側部（第１側面３１、第２側面３２、背面３３、正面扉３４ａ）に、負荷試験装置１０から排出される熱風による熱が伝達しにくいように、中間枠３７及びローラー３７ａは、移動ラック３０の側部を構成するフレーム（格子状の柵の外枠部分）に比べて、耐熱性が高く、熱伝導率が低い部材で構成されるのが望ましい。
これにより、負荷試験装置１０を移動ラック３０から下ろさない状態で、ローラー３７ａを損傷させずに、負荷試験を行うことが可能になる。
【００５３】
底面３５と中間枠３７の間の領域が、負荷試験装置１０を収納する第１領域４１を形成し、中間枠３７と上面３６の間の領域が、電源接続ケーブル５０や工具箱６０を収納する第２領域４２を形成し、ローラー３７ａは第１領域４１と第２領域４２の境界に設けられる。
電源接続ケーブル５０や工具箱６０など、第２領域４２に収納されるものは、ローラー３７ａに保持される。
【００５４】
負荷試験装置１０が第１領域４１に収納され、第１領域４１の上段に設けられた第２領域４２に電源接続ケーブル５０など負荷試験装置１０の関連部材が収納されるので、移動ラック３０を用いることで、これらを容易に移動させることが可能になる。
ローラー３７ａの筒状物がｘ方向に延びる軸周りに回転可能な状態で保持されるため、電源接続ケーブル５０や工具箱６０を保持する部材として、回転可能な部材が設けられない形態に比べて、ローラー３７ａの上に保持された電源接続ケーブル５０や工具箱６０を取り出しやすく出来る。
【００５５】
移動ラック３０（若しくは、負荷試験装置１０）には、検知部４５（ローラー３７ａの上に電源接続ケーブル５０などの部材が保持された状態か否かを検知する保持検知部、及び蓋３６ａが開いた状態か否かを検知する開閉検知部）が設けられる。
具体的には、保持検知部（検知部４５）は、ローラー３７ａの上に載置された物の重量が閾値（約０ｋｇ）に近いか否かを検知する重量センサー、ローラー３７ａの上に物が載っているか否かを検知するカメラなどを使って、ローラー３７ａの上に電源接続ケーブル５０などの部材が保持された状態か否かを検知する。
また、開閉検知部（検知部４５）は、蓋３６ａの開閉度合い（上面３６とのなす角度θ）が閾値（約９０度）以上か否かを検知する角度センサー、若しくは蓋３６ａが第１側面３１に接触した状態か否かを検知する接触センサーなどを使って、蓋３６ａが開いた状態か否かを検知する。
【００５６】
検知部４５における検知で得られた情報は、検知部リレーＲＳに伝達される。
検知部４５から、検知部リレーＲＳへの情報伝達は、電気的に行われる形態であってもよいし、機械的に行われる形態であってもよい。
機械的に情報伝達が行われる形態としては、ローラー３７ａの上に載置された物の重量で、特定の部材が検知部リレーＲＳのスイッチを押下して、検知部リレーＲＳをオフ状態にさせる形態、蓋３６ａが第１側面３１に接触する際に、特定の部材が検知部リレーＲＳのスイッチを押下して、検知部リレーＲＳをオフ状態にさせる形態が考えられる。
電気的に情報伝達が行われる場合には、検知部４５は、バッテリー、若しくは、商用電源からの電力供給に基づいて駆動する。
また、検知部４５から検知部リレーＲＳへの情報伝達は、有線で行われる形態であってもよいし、無線で行われる形態であってもよい。
【００５７】
ローラー３７ａの上に物が保持された状態、若しくは、蓋３６ａが開いていない状態の場合には、検知部リレーＲＳはオフ状態にされ、第１端子接続部１７ａから第１リレーＲ１〜第８リレーＲ８への電力供給が遮断される。
これにより、蓋３６ａや、ローラー３７ａの上に保持された電源接続ケーブル５０や工具箱６０などが、抵抗部１１からの排気熱により損傷するのを防止出来る。
ローラー３７ａの上に物が保持されておらず、且つ蓋３６ａが開いている状態の場合には、検知部リレーＲＳはオン状態にされ、第１端子接続部１７ａから第１リレーＲ１などへの電力供給が可能な状態にされる。
【００５８】
なお、蓋３６ａを閉めた状態で、第２領域４２の側面から横方向の排気を行う場合には、蓋３６ａが開いていない状態でも、検知部リレーＲＳが、上述の遮断を行わずに、第１端子接続部１７ａから第１リレーＲ１などへの電力供給を通過させる形態であってもよい。
これにより、雨天時でも屋外で、負荷試験装置１０の抵抗器が濡れにくい状態で、負荷試験を行うことが可能になる。
また、蓋３６ａに載置した電源（後述するソーラーパネル７３）の負荷試験を行うことも可能になる。
【００５９】
ただし、移動ラック３０における側部（第１側面３１、第２側面３２、背面３３、正面扉３４ａ）に、負荷試験装置１０から排出される熱風による熱が伝達しにくいように、蓋３６ａは、移動ラック３０の側部を構成するフレームに比べて、耐熱性が高く、熱伝導率が低い部材で構成されるのが望ましい。
【００６０】
第１側面３１と第２側面３２のｘ方向の間隔は、負荷試験装置１０のｘ方向の幅と同等かそれ以上の寸法（例えば、約１０４ｃｍ）を有する。
背面３３と正面３４のｙ方向の間隔は、負荷試験装置１０のｙ方向の幅と同等かそれ以上の寸法（例えば、約１０４ｃｍ）を有する。
底面３５と中間枠３７のｚ方向の間隔（第１領域４１の高さ）は、負荷試験装置１０のｚ方向の高さと同等かそれ以上の寸法を有する。
中間枠３７と上面３６のｚ方向の寸法（第２領域４２）は、電源接続ケーブル５０や工具箱６０が入る程度の高さを有する（第１領域４１と第２領域４２の合計が、例えば約１７０ｃｍ）。
【００６１】
これにより、所定の大きさの移動ラック３０（内寸：１０４ｃｍ×１０４ｃｍ×１７０ｃｍなど）に負荷試験装置１０を搭載でき、負荷試験装置１０を搭載した状態で移動ラック３０を一般的な宅配用のトラックに載せ、容易に負荷試験を行う場所の近くまで移動させることが可能になる。
【００６２】
電源接続ケーブル５０は、第１端子接続部１７ａと、商用電源（第１負荷試験）若しくは試験対象電源（第２負荷試験）との電気的な接続のために用いられるもので、商用電源（第１負荷試験）若しくは試験対象電源（第２負荷試験）と、電気設備保持装置１が設置された場所との距離に応じたものが用意される。
工具箱６０は、ドライバーやレンチなど、電源接続ケーブル５０と第１端子接続部１７ａの接続などに用いられる工具を収納する箱である。
【００６３】
第１実施形態では、移動ラック３０が、１つの中間枠３７などによって、第１領域４１と、第１領域４１よりも上段に設けられた第２領域４２とに分けられる形態を説明したが、中間枠３７と、中間枠３７と底面３５の間に設けられた仕切り部３８によって、第１領域４１と、第１領域４１よりも上段に設けられた第２領域４２と、第１領域４１よりも下段に設けられた第３領域４３とに分けられる形態であってもよい（第２実施形態、図６参照）。
【００６４】
以下、第１実施形態と異なる点を中心に説明する。
図６は、第１側面３１や第２側面３２に設けられた格子状の柵の図示を省略し、正面扉３４ａが開いた状態を示す。
【００６５】
第２実施形態では、中間枠３７と底面３５の間に、板や格子などで構成された仕切り部３８が設けられる。
仕切り部３８と中間枠３７の間の第１領域４１に、負荷試験装置１０が収納される。
仕切り部３８と底面３５の間の第３領域４３に、発電機７１や蓄電装置７５が収納される。
なお、蓄電装置７５は、第１領域４１に収納されてもよい。
また、燃料電池７６が、第１領域４１若しくは第３領域４３に収納される。
【００６６】
また、蓋３６ａには、ソーラーパネル７３が配置される。
【００６７】
蓄電装置７５は、バッテリーなどで構成され、発電機７１やソーラーパネル７３で得られた電力を貯蔵する。
【００６８】
発電機７１は、キャスターなどを有し、移動式の発電機であり、例えば、ガソリンなどの液体燃料と、ＬＰガス（Liquefied Petroleum Gas）などの気体燃料の両方で発電が可能な発電機が考えられる。
【００６９】
負荷試験装置１０は、移動ラック３０の外部に設けられた空調設備の負荷試験（第１負荷試験）や試験対象電源などの負荷試験（第２負荷試験）に用いられてもよいし、移動ラック３０に設けられた試験対象電源（発電機７１、ソーラーパネル７３、蓄電装置７５、及び燃料電池７６）の負荷試験（第２負荷試験）に用いられてもよい。
【００７０】
仕切り部３８と中間枠３７のｚ方向の間隔（第１領域４１の高さ）は、負荷試験装置１０のｚ方向の高さと同等かそれ以上の寸法を有する。
中間枠３７と上面３６のｚ方向の寸法（第２領域４２）は、電源接続ケーブル５０や工具箱６０が入る程度の高さを有する。
底面３５と仕切り部３８のｚ方向の間隔（第３領域４３の高さ）は、発電機７１や蓄電装置７５のｚ方向の高さと同等かそれ以上の寸法を有する。
【００７１】
第１領域４１には、負荷試験装置１０の他に、非常食７７などが配置されてもよい。
第２領域４２には、電源接続ケーブル５０や工具箱６０の他に、携帯型のトイレやテントやシャワーなど防災用具７９が配置されてもよい。
【００７２】
これにより、所定の大きさの移動ラック３０に負荷試験装置１０の他、電源（発電機７１、ソーラーパネル７３、蓄電装置７５、燃料電池７６）を搭載でき、負荷試験装置１０などを搭載した状態で移動ラック３０を一般的な宅配用のトラックに載せ、被災地など電源が必要な場所の近くまで移動させることが可能になる。
移動ラック３０を設置した場所では、電源（発電機７１、ソーラーパネル７３、蓄電装置７５、燃料電池７６）を使って、通信機器、照明器具、加熱装置などの電気機器に対して電力を供給することが出来る。
発電機７１は、低い位置（第３領域４３）に収納されているので、第１領域４１などに収納される場合に比べて、移動ラック３０からの出し入れが容易に出来る。
【００７３】
なお、ソーラーパネル７３は、蓋３６ａに固定される形態であってもよいが、移動ラック３０の側部（第１側面３１、第２側面３２、背面３３、正面３４）の少なくとも一つに設けられた保持部７４に保持され、使用時に蓋３６ａの上に移動させる形態であってもよい（第３実施形態、図７〜図９参照）。
【００７４】
例えば、保持部７４は、移動ラック３０の背面３３のｙ方向の両端に設けられ、ソーラーパネル７３の側部を移動可能な状態で保持する。
【００７５】
不使用時は、ソーラーパネル７３は、保持部７４に保持される（第１状態、図７参照）。
使用時は、ソーラーパネル７３は、保持部７４から上方に持ち上げられ（中間状態、図８参照）、その後ｘ方向に平行な回転軸７３ａを中心に回転させて蓋３６ａに載置される（第２状態、図９参照）。
第２状態からは、回転軸７３ａを中心に回転させて、ソーラーパネル７３が上方に持ち上げられ（中間状態、図８参照）、その後下方に降ろされて保持部７４に保持される（第１状態、図７参照）。
【００７６】
すなわち、ソーラーパネル７３は、上下方向の移動と回転移動により、ソーラーパネル７３の受光面が移動ラック３０の側部の一つ（ここでは、背面３３や正面３４）と平行になる第１状態と、移動ラック３０の上面３６（で且つ蓋３６ａの上）に配置された第２状態とが切り替え可能である。
【００７７】
これにより、不使用時（第１状態）にソーラーパネル７３の受光面が風雨にさらされて劣化するのを防止することが可能になる。
また、不使用時（第１状態）に、保持部７４にソーラーパネル７３を保持させることにより、移動ラック３０の上面３６（で且つ蓋３６ａの上）からソーラーパネル７３が無くなるため、移動ラック３０の上面３６にソーラーパネル７３が配置された状態と比べて、移動ラック３０のｚ方向の高さを低くして、トラックなどの運搬手段に搭載しやすく出来る。
【００７８】
なお、第１状態〜中間状態〜第２状態の切り替えは、使用者による手動で行われる形態であってもよいし、保持部７４や回転軸７３ａに、ソーラーパネル７３を上下方向に移動させたり回転させたりするアクチュエータを設け、電動で行われる形態であってもよい。
【００７９】
第３実施形態では、開閉検知部（検知部４５）は、蓋３６ａの開閉度合いだけでなく、ソーラーパネル７３が第２状態にされているか否かも検知し、蓋３６ａが空いていない状態と、ソーラーパネル７３が第２状態にされていないことの少なくとも一方が検知された場合に、検知部リレーＲＳはオフ状態にされ、第１端子接続部１７ａから第１リレーＲ１〜第８リレーＲ８への電力供給が遮断される。
これにより、蓋３６ａやソーラーパネル７３が、抵抗部１１からの排気熱により損傷するのを防止出来る。
【００８０】
ただし、蓋３６ａを、移動ラック３０の側部を構成するフレームに比べて、耐熱性が高く、熱伝導率が低い部材で構成し、蓋３６ａが閉じた状態で維持される形態であってもよい。この場合には、ソーラーパネル７３の開閉検知（第２状態にされているか否かの検知）だけが行われて、蓋３６ａについての開閉検知は省略されてもよい。
【００８１】
また、ソーラーパネル７３の移動は、上下方向の移動と回転移動の組み合わせによるものに限らず、例えば、回転移動だけで、第１状態と第２状態とを切り替える形態であってもよい（第４実施形態、図１０〜図１２参照）。
【００８２】
第４実施形態では、保持部７４は、ソーラーパネル７３の回転軸７３ａを保持し、回転軸７３ａを中心とした回転移動により、ソーラーパネル７３の受光面を移動ラック３０の側部の一つ（ここでは、背面３３や正面３４）と平行な第１状態にさせたり、移動ラック３０の上面３６（で且つ蓋３６ａの上）に配置された第２状態にさせたりする。
【００８３】
この場合には、不使用時（第１状態）で、ソーラーパネル７３の受光面は移動ラック３０の側部と対向する位置関係になるため、ソーラーパネル７３の受光面と反対側の面が移動ラック３０の側部と対向する位置関係になる形態（第３実施形態）に比べて、外部の部材と接触するなどによる破損を防ぎやすくできる。
【符号の説明】
【００８４】
１  電気設備保持装置
１０  負荷試験装置
１１  抵抗部
１３  冷却部
１５  操作部
１７  接続切替部
１７ａ  第１端子接続部
１７ｂ  第２端子接続部
１７ｃ  リレー部
３０  移動ラック
３１  第１側面
３２  第２側面
３３  背面
３４  正面
３４ａ  正面扉
３５  底面
３５ａ  キャスター
３５ｂ  差し込み口
３６  上面
３６ａ  蓋
３７  中間枠
３７ａ  ローラー
３８  仕切り部
４１  第１領域
４２  第２領域
４３  第３領域
４５  検知部
５０  電源接続ケーブル
６０  工具箱
７１  発電機
７３  ソーラーパネル
７３ａ  回転軸
７４  保持部
７５  蓄電装置
７６  燃料電池
７７  非常食
７９  防災用具
Ｇ１〜Ｇ８  第１抵抗器群〜第８抵抗器群
Ｒ１〜Ｒ８  第１リレー〜第８リレー
ＲＣ  冷却ファンリレー
ＲＳ  検知部リレー
【図１】
2020073864.tif 000003
【図２】
2020073864.tif 000004
【図３】
2020073864.tif 000005
【図４】
2020073864.tif 000006
【図５】
2020073864.tif 000007
【図６】
2020073864.tif 000008
【図７】
2020073864.tif 000009
【図８】
2020073864.tif 000010
【図９】
2020073864.tif 000011
【図１０】
2020073864.tif 000012
【図１１】
2020073864.tif 000013
【図１２】
2020073864.tif 000014